(57)【要約】      （修正有）【課題】容量を大小可変にし、それに応じて持ち手の付け換えができる手提げバッグを提供する。【解決手段】手提げバッグは、下端部側に底部２を備え上部開口端側の周縁の対称位置又は対称位置近傍に持ち手１１を係止する係止部７を設けた袋体１と、持ち手１１とからなる。袋体１は、上下方向の下半部以上を占める本体筒３と、本体筒３の開口端に上方に向って延設され且つ下向きに折返して本体筒３上部と重ね合わせ可能な補助筒４とからなる。係止部７は袋体１側に付設した係止リング７ａと持ち手１１の端部に付設され、係止リング７ａに対して係脱が可能な係止フック７ｂとからなり、本体筒３と補助筒４の各開口端のそれぞれの周縁部に付設する。【選択図】図２
0003156019.tif 000002
【実用新案登録請求の範囲】
【請求項１】
下端部側に底部（２）を備え上部開口端側の周縁の対称位置又は対称位置近傍に持ち手（１１）を係止する係止部（７）を設けた袋体（１）と、上記持ち手（１１）とからなる手提げバッグであって、袋体（１）が上下方向の下半部以上を占める本体筒（３）と該本体筒（３）の開口端に上方に向って延設され且つ下向きに折返して本体筒（３）上部と重ね合わせ可能な補助筒（４）とからなり、上記係止部（７）を本体筒（３）と補助筒（４）の各開口端のそれぞれの周縁部に付設し、前記持ち手（１１）を上方に伸展された補助筒（４）側の係止部（７）と下向きに折返した状態での本体筒（３）側の係止部（７）とに付け換えることにより袋体（１）の容量の変更を可能にした容量可変手提げバッグ。
【請求項２】
係止部（７）が袋体（１）側に付設した係止リング（７ａ）と持ち手（１１）の端部に付設され、上記係止リング（７ａ）に対して係脱が可能な係止フック（７ｂ）とからなる請求項１の容量可変手提げバッグ。
【請求項３】
持ち手（１１）が２本の紐状体又は帯状体で形成され、係止フック（７ｂ）が各持ち手（１１）の両端に付設されるとともに係止リング（７ａ）が本体筒（３）と補助筒（４）の各周縁の対称位置に４個ずつ付設された請求項２の容量可変手提げバッグ。
【請求項４】
本体筒（３）の開口端の周縁部に周方向のひだ又は帯状の補強部（８）を形成し、該補強部（８）に係止リング（７ａ）を取付けてなる請求項２又は３の容量可変手提げバッグ。
【請求項５】
補助筒（４）を本体筒（３）の内側に折込む構造とし、係止リング（７ａ）を袋体（１）の外周側に付設してなる請求項１又は２又は４の容量可変手提げバッグ。
【請求項６】
袋体（１）の生地が布，不織布，皮革，人工皮革，合成樹脂シート，繊維強化樹脂布，メッシュ生地のいずれか又はこれらの組合せである請求項１又は２又は３又は４又は５の容量可変手提げバッグ。
【考案の詳細な説明】
【技術分野】
【０００１】
この考案は買物袋その他の用途に使用され、収納物の量や大きさに応じて容量を大小に変更調節できる容量可変手提げバックに関する。
【背景技術】
【０００２】
近年地球環境の保全の趣旨から小売店舗等で提供されるレジ袋の代わりに消費者が繰返し使用できるエコバックと称される自前の買物袋を持つことが推奨されている。
しかし小売店等で購入する買物量や大きさはその都度変化するのに対し、消費者は大小複数のサイズの袋を用意することは煩わしいために、比較的大きいサイズの袋を準備しており、少ない買物の場合も大きい袋で持運びせざるを得ない不便があった。
これに対し、買物袋等の上端を折返して使用できるバッグとして下記特許文献に示すようなバッグが知られている。
【先行技術文献】
【特許文献】
【０００３】
【特許文献１】実用新案登録第３０８９０９２号公報
【考案の概要】
【考案が解決しようとする課題】
【０００４】
しかし上記特許文献１のバッグは、バッグ本体１の上部に内部への折込みや伸展が可能な可変胴部１１を備えて、容量変更を可能にしているものの、可変胴部１１の開口端には固定的に持ち手１２，１３が取付けられているために、内側に折込んで使用する際に、収容物挿入や取出しに際して持ち手が引っ掛る欠点があるほか、収容量を小さくした場合は、開口部の片側にしか連結リングがなく、且つ一本の背負いベルトとの組合せであるため、背負い式のバッグ又はショルダーバッグとしてしか使用できない難点がある。
【課題を解決するための手段】
【０００５】
上記問題点を解決するための本考案のバッグは第１に下端部側に底部２を備え上部開口端側の周縁の対称位置又は対称位置近傍に持ち手１１を係止する係止部７を設けた袋体１と、上記持ち手１１とからなる手提げバッグであって、袋体１が上下方向の下半部以上を占める本体筒３と該本体筒３の開口端に上方に向って延設され且つ下向きに折返して本体筒３上部と重ね合わせ可能な補助筒４とからなり、上記係止部７を本体筒３と補助筒４の各開口端のそれぞれの周縁部に付設し、前記持ち手１１を上方に伸展された補助筒４側の係止部７と下向きに折返した状態での本体筒３側の係止部７とに付け換えることにより袋体１の容量の変更を可能にしたことを特徴としている。
【０００６】
第２に係止部７が袋体１側に付設した係止リング７ａと持ち手１１の端部に付設され、上記係止リング７ａに対して係脱が可能な係止フック７ｂとからなることを特徴としている。
【０００７】
第３に持ち手１１が２本の紐状体又は帯状体で形成され、係止フック７ｂが各持ち手１１の両端に付設されるとともに係止リング７ａが本体筒３と補助筒４の各周縁の対称位置に４個ずつ付設されたことを特徴としている。
【０００８】
第４に本体筒３の開口端の周縁部に周方向のひだ又は帯状の補強部８を形成し、該補強部８に係止リング７ａを取付けてなることを特徴としている。
【０００９】
第５に補助筒４を本体筒３の内側に折込む構造とし、係止リング７ａを袋体１の外周側に付設してなることを特徴としている。
【００１０】
第６に袋体１の生地が布，不織布，皮革，人工皮革，合成樹脂シート，繊維強化樹脂布，メッシュ生地のいずれか又はこれらの組合せであることを特徴としている。
【考案の効果】
【００１１】
以上のように構成される本考案のバッグは、袋体の補助筒を本体筒側に折返して重ね合わせるか否かによって老若男女を問わず簡単にしかも短時間にその容量変更ができ、いずれの使用形態でも同様に持ち手を付け換えることによって手提げバッグとして持運びが行われるほか、補助筒側に持ち手が固着されていないので収容物の出し入れの妨げになることもない。
【００１２】
係止部を係止リングと係止フックで構成することにより、係脱が容易で上記付け換えも簡単であるほか、耐久性も向上できる。
係止具は袋体開口部周縁の対称位置に配設されるのでバランスよく持運びができ、本体筒開口部周縁に補強部を形成しているので持ち手の吊り下げに対する強度補強もできる。
また、補助筒は内側に折込まれ、係止リングも外周に付設されているので容量を小さくした場合も外観上通常のバッグと変わることがない。
【図面の簡単な説明】
【００１３】
【図１】容量を拡大するために補助筒を伸展した状態の本考案のバッグの斜視図である。
【図２】同じく補助筒を本体筒の内側に折返して畳み込んで容量を縮小した状態のバッグの斜視図である。
【考案を実施するための形態】
【００１４】
以下図示する本考案の実施形態につき説明する。図１，図２は本考案のバッグの容量を拡大した状態と縮小した状態の斜視図を示し、バッグの袋体１は布，不織布，皮革，その他適用可能であればその材質は問わず、材料の形成固定は縫製，接着，ヒートシール等材質に応じていずれの方法でもよい。
【００１５】
袋体１は上端が開口し下部に底部２を備えており、その下半部以上（例えば２／３〜３／４）を本体筒３とし、その残りの上端側を補助筒４として図２に示すようにその境界部（本体筒３の開口端）より当該部分を本体筒３の内側（外側でもよい）に折返して折込んで袋体１の上下長さ（深さ又は容量）を変更調節できる構造となっている。
【００１６】
また袋体１が不織布等のように腰の強い材質の場合は底部２及び左右の側端側には内側に山形のひだ状をなす「まち」を形成することもできる。そして本体筒３と補助筒４の開口端には前後左右略対称な位置に各２個ずつベルト状の折返しループよりなるリング止め６を介して金属製又はプラスチック製の係止リング７ａが計４個取付けられている。
【００１７】
上記係止リング７ａを取付ける本体筒３と補助筒４の開口端は係止リング７ａの取付けの補強と開口端の一定の形状保持力を兼ねてミシン目を入れてひだ状に折曲げられ又は内部若しくは表裏面等にベルト状の補強材（図示しない）を固着する等の方法により周方向の補強部８，９が形成されている。
尚、係止リング７ａは補助筒４が本体筒３の外側に折返されて折重ねられる構造のものでは本体筒３の内側の同位置に取付けられる。
【００１８】
１１はベルト状、紐状又は鎖状に形成された一対の持ち手であり、各持ち手１１の両端には前記係止リング７ａに対して弾力的にループを開閉して係脱する係止フック７ｂが取付けられ、係止リング７ａと係止フック７ｂは持ち手１１を本体筒３又は伸展した補助筒４に係脱自在に連結係止する係止部７を構成している。図示する例では係止部７は市販されている公知のものでその係止フック７ｂは基端部側の取付けリングに対して回動自在に取付けられている。
【００１９】
以上のように構成される本考案の手提げバッグは、これを大容積用として使用する場合は、図１実線で示すように補助筒４を上方に伸展させた状態で上端側の係止リング７ａに持ち手１１の係止フック７ｂを係止して使用する。
逆に小容積用として使用する場合は、補助筒４を本体筒３側に折返して重ね合わせて本体筒３側の係止リング７ａに持ち手１１の係止フック７ｂを係止して使用する。また袋体１の補強部８，９や係止リング７ａはこれが外側に露出させるときはデザイン上のアクセントとして構成することができる。
【符号の説明】
【００２０】
１  袋体
２  底部
３  本体筒
４  補助筒
６  リング止め
７  係止部
７ａ  係止リング
７ｂ  係止フック
８，９  補強部
１１  持ち手
【図１】
0003156019.tif 000003
【図２】
0003156019.tif 000004